(57)【要約】【課題】回路規模を増大することなく、隣接波長の監視制御信号を検出できる受信装置を提供する。【解決手段】受信装置は、受信部と、第１のフィルタと、主信号検出部と、監視制御信号検出部とを有する。受信部は、波長多重された光信号を受信する。第１のフィルタは、受信部で受信した信号から対象波長と対象波長に隣接する隣接波長の一部とを透過する。主信号検出部は、第１のフィルタで透過された信号から対象波長の主信号を検出する。監視制御信号検出部は、第１のフィルタで透過された信号から対象波長の監視制御信号と前記隣接波長の監視制御信号とを検出する。【選択図】図９
2018139392.tif 000002
【特許請求の範囲】
【請求項１】
波長多重された光信号を受信する受信部と、
前記受信部で受信した信号から対象波長と前記対象波長に隣接する隣接波長の一部とを透過する第１のフィルタと、
前記第１のフィルタで透過された信号から対象波長の主信号を検出する主信号検出部と、
前記第１のフィルタで透過された信号から前記対象波長の監視制御信号と前記隣接波長の監視制御信号とを検出する監視制御信号検出部と、
を有することを特徴とする受信装置。
【請求項２】
前記対象波長と前記隣接波長とにそれぞれ監視制御信号を重畳させる変調方式として、ＦＳＫ−ＳＶ（Frequency  Shift  Keying−Supervisory）方式が用いられることを特徴とする請求項１に記載の受信装置。
【請求項３】
前記監視制御信号検出部は、
前記第１のフィルタで透過された信号から前記対象波長の監視制御信号を検出する第１の検出回路と、
前記第１のフィルタで透過された信号に対して前記隣接波長の信号を通過させる第２のフィルタと、
前記第２のフィルタを通過した信号から前記隣接波長の監視制御信号を検出する第２の検出回路と、
を有することを特徴とする請求項１または２に記載の受信装置。
【請求項４】
前記監視制御信号検出部は、
前記第２のフィルタを通過した信号に対して周波数オフセットを行なう周波数オフセット制御部と、
前記周波数オフセット制御部により周波数オフセットが行なわれた信号に対してダウンサンプリングを行なうダウンサンプリング部と、
を更に有し、
前記第２の検出回路は、前記ダウンサンプリング部によりダウンサンプリングが行なわれた信号から、前記隣接波長の監視制御信号を検出することを特徴とする請求項３に記載の受信装置。
【請求項５】
前記第１、第２の検出回路は、それぞれ、周波数オフセットまたは信号強度をモニタすることにより、前記対象波長の監視制御信号、前記隣接波長の監視制御信号を検出することを特徴とする請求項３に記載の受信装置。
【請求項６】
前記監視制御信号検出部は、
第１の制御信号と第２の制御信号とを時分割で切り替える切替制御回路と、
前記第１の制御信号に応じて、前記第１のフィルタで透過された信号から前記対象波長の監視制御信号を検出する検出回路と、
前記第２の制御信号に応じて、前記第１のフィルタで透過された信号に対して前記隣接波長の信号を通過させる第２のフィルタと、
を有し、
前記検出回路は、前記第２の制御信号に応じて、前記第２のフィルタを通過した信号から前記隣接波長の監視制御信号を検出することを特徴とする請求項１または２に記載の受信装置。
【請求項７】
局発光を発光する光源
を更に有し、
前記受信部は、前記局発光に応じて前記光信号を受信し、
前記監視制御信号検出部は、
前記隣接波長の信号強度が増加するように前記光源を制御することを特徴とする請求項６に記載の受信装置。
【請求項８】
前記対象波長の監視制御信号および前記隣接波長の監視制御信号には、スーパーチャネルの識別番号が重畳され、
前記識別番号に基づいて前記対象波長のスーパーチャネル内の相対位置を認識する制御部
を更に有することを特徴とする請求項１から７のいずれか一項に記載の受信装置。
【請求項９】
前記対象波長の監視制御信号および前記隣接波長の監視制御信号には、波長設定コマンドが重畳され、
コマンドリレー方式により送信された前記波長設定コマンドに基づいて自身の波長を設定する制御部
を更に有することを特徴とする請求項１から８のいずれか一項に記載の受信装置。
【請求項１０】
受信装置が、
波長多重された光信号を受信し、
前記受信した信号から対象波長と前記対象波長に隣接する隣接波長の一部とを透過し、
前記透過された信号から対象波長の主信号と前記対象波長の監視制御信号と前記隣接波長の監視制御信号とを検出する
処理を実行することを特徴とする監視制御信号検出方法。
【発明の詳細な説明】
【技術分野】
【０００１】
本発明は、受信装置及び監視制御信号検出方法に関する。
【背景技術】
【０００２】
光伝送システムにおいて、波長に監視制御信号を重畳させる変調方式が提案されている。この変調方式としては、例えば、ＦＳＫ−ＳＶ（Frequency  Shift  Keying−Supervisory）方式が用いられる。ＦＳＫ−ＳＶ方式において、例えば、トランスポンダの送信装置は、所定の波長を揺らした監視制御信号をＦＳＫ信号として生成する。送信装置は、所定の波長を揺らす場合、デジタル信号の各ビット「０」、「１」をずらす。そして、送信装置は、所定の波長に主信号を位相変調で変調し、その波長にＦＳＫ信号を重畳した信号を出力する。ＦＳＫ信号は、主信号に比べて小容量のため、主信号が疎通していなくても通信が可能である。
【０００３】
また、ＦＳＫ−ＳＶ方式としては、制御信号などをネットワーク上のコントローラを介さずにトランスポンダ間で直接送受信するような利用用途が想定されている。従来では、伝送路が確立した対向するトランスポンダ間での通信しかできないが、今後、対向する第１のトランスポンダに隣接する第２のトランスポンダに対しても通信することができると都合がよい。例えば第１のトランスポンダが対象波長を用いる場合、第２のトランスポンダは、対象波長に隣接する隣接波長を用いる。
【０００４】
また、光伝送技術では、大容量化のため、ＷＤＭ（Wavelength  Division  Multiplexer）技術に加えて、「スーパーチャネル」と呼ばれる技術の利用が検討されている。そこで、今後、スーパーチャネルで複数の隣接する連続波長を一括で同一の制御を行ないたいという要望が増えてくると考えられる。例えば、複数の隣接する連続波長を一括で同一の制御を行なう状況としては、全体的に波長のずれを微調整する場合などが考えられる。
【先行技術文献】
【特許文献】
【０００５】
【特許文献１】特開２０１６−０３４０７８号公報
【特許文献２】特開２０１６−１３１２７３号公報
【発明の概要】
【発明が解決しようとする課題】
【０００６】
しかしながら、対象波長に加えて、対象波長に隣接する隣接波長もモニタする場合、受信装置の規模（回路規模）が大きくなってしまうことが考えられる。
【０００７】
一つの側面では、回路規模を増大することなく、隣接波長の監視制御信号を検出できる受信装置及び監視制御信号検出方法を提供することを目的とする。
【課題を解決するための手段】
【０００８】
一つの案では、受信装置は、受信部と、第１のフィルタと、主信号検出部と、監視制御信号検出部とを有する。受信部は、波長多重された光信号を受信する。第１のフィルタは、受信部で受信した信号から対象波長と対象波長に隣接する隣接波長の一部とを透過する。主信号検出部は、第１のフィルタで透過された信号から対象波長の主信号を検出する。監視制御信号検出部は、第１のフィルタで透過された信号から対象波長の監視制御信号と前記隣接波長の監視制御信号とを検出する。
【発明の効果】
【０００９】
開示の態様では、回路規模を増大することなく、隣接波長の監視制御信号を検出できる。
【図面の簡単な説明】
【００１０】
【図１】図１は、本実施例の光伝送システムの一例を示す説明図である。
【図２】図２は、受信装置のハードウェア構成の一例を示すブロック図である。
【図３】図３は、受信装置内のＤＳＰの機能構成の一例を示すブロック図である。
【図４】図４は、送信装置のハードウェア構成の一例を示すブロック図である。
【図５】図５は、監視制御信号のスペクトルの一例を示す説明図である。
【図６】図６は、スーパーチャネル方式を適用した光伝送装置の一例を示す説明図である。
【図７】図７は、本実施例の光伝送システムの動作の一例を示すフローチャートである。
【図８】図８は、本実施例の光伝送システムの動作結果の一例を示す説明図である。
【図９】図９は、実施例１の受信装置内のＤＳＰの機能構成の一例を示すブロック図である。
【図１０】図１０は、ＦＳＫ信号検出回路の一例を示すブロック図である。
【図１１】図１１は、ＦＳＫ信号検出回路の一例を示すブロック図である。
【図１２】図１２は、受信装置内のＤＳＰの機能構成の回路規模の増大の一例を示す説明図である。
【図１３】図１３は、実施例２の受信装置内のＤＳＰの機能構成の一例を示すブロック図である。
【図１４】図１４は、実施例３の受信装置内のＤＳＰの機能構成の一例を示すブロック図である。
【図１５】図１５は、周波数オフセット制御とダウンサンプリングとの一例を示す説明図である。
【図１６】図１６は、実施例４の受信装置内のＤＳＰの機能構成の一例を示すブロック図である。
【図１７】図１７は、実施例５の受信装置内のＤＳＰの機能構成の一例を示すブロック図である。
【図１８】図１８は、実施例６の光伝送システムの一例を示す説明図である。
【図１９】図１９は、実施例６の光伝送システムの動作を示すフローチャートである。
【図２０】図２０は、実施例７の光伝送システムの一例を示す説明図である。
【発明を実施するための形態】
【００１１】
以下、図面に基づいて、本願の開示する受信装置及び監視制御信号検出方法の実施例を詳細に説明する。尚、本実施例により、開示技術が限定されるものではない。また、以下に示す各実施例は、矛盾を起こさない範囲で適宜組み合わせても良い。
【実施例１】
【００１２】
図１は、本実施例の光伝送システム１の一例を示す説明図である。図１に示す光伝送システム１は、光伝送装置２Ａと、光伝送路を介して光伝送装置２Ａと光通信可能に接続された光伝送装置２Ｂとを有する。
【００１３】
光伝送装置２Ａは、ＲＯＡＤＭ（Reconfigurable  Optical  Add/Drop  Multiplexer）３Ａと、複数のトランスポンダ４０を有する。光伝送装置２Ｂは、ＲＯＡＤＭ３Ｂと、複数のトランスポンダ４０を有する。
【００１４】
ＲＯＡＤＭ３Ａ、３Ｂは、異なる波長の複数の光信号を多重化伝送するＷＤＭ（Wavelength  Division  Multiplexer）伝送装置等の光挿入分岐装置である。この光挿入分岐装置は、局、ポート、ノードなどに相当する。ＲＯＡＤＭ３Ａ、３Ｂの各々は、複数のＷＳＳ（Wavelength  Selective  Switch）４と、複数のＭＣＳ（Multicast Switch）５、６とを有する。
【００１５】
複数のトランスポンダ４０の各々は、送信装置（ＴＸ）５０と、受信装置（ＲＸ）１０とを有する。送信装置５０及び受信装置１０は、デジタルコヒーレント方式の光通信装置である。
【００１６】
ＷＳＳ４は、例えば、入力ポート１個×出力ポートＮ個のポートを有し、光信号を波長単位で切替選択するスイッチである。ＭＣＳ５、６は、光信号に波長単位で光挿入したり、光分岐したりする光挿入分岐部である。送信装置５０は、光信号を送信するラインカードである。受信装置１０は、光信号を受信するラインカードである。
【００１７】
例えば、光伝送装置２Ａにおいて、ＲＯＡＤＭ３ＡのＭＣＳ５は、トランスポンダ４０の送信装置５０から送信された光信号を結合して、ＲＯＡＤＭ３ＡのＷＳＳ４から光伝送路を介して光伝送装置２Ｂに送信する。光伝送装置２Ｂにおいて、光伝送装置２Ａから送信された光信号をＲＯＡＤＭ３ＢのＷＳＳ４により受信して、ＲＯＡＤＭ３ＢのＭＣＳ６により分離し、トランスポンダ４０の受信装置１０は、分離した光信号を受信する。
【００１８】
図２は、受信装置（ＲＸ）１０のハードウェア構成の一例を示すブロック図である。受信装置１０は、ＬＯ光源（Local  Laser  Diode）１１と、ＩＣＲ（Integrated  Coherent  Receiver）１８と、ＡＤＣ(Analog  Digital  Converter)１６と、ＤＳＰ(Digital  Signal  Processor)１７と、ＣＰＵ(Central  Processing  Unit)１９とを有する。ＩＣＲ１８は、ＢＳ（Beam  Splitter）１２と、ＰＢＳ(Polarization  Beam  Splitter)１３と、第１及び第２の光ハイブリッド回路１４Ａ、１４Ｂと、第１〜第４のＰＤ(Photo  Diode)１５Ａ〜１５Ｄとを有する。ＡＤＣ１６は、第１〜第４のＡＤＣ１６Ａ〜１６Ｄを有する。
【００１９】
ＬＯ光源１１は、例えば、局発光を発光するレーザである。ＢＳ１２は、ＬＯ光源１１からの局発光を分離して第１の光ハイブリッド回路１４Ａ及び第２の光ハイブリッド回路１４Ｂに出力する。ＰＢＳ１３は、受信信号を直交する２つの偏波状態、例えば、Ｘ偏波成分及びＹ偏波成分に分離する。尚、Ｘ偏波成分は水平偏波成分、Ｙ偏波成分は垂直偏波成分である。ＰＢＳ１３は、Ｘ偏波成分を第１の光ハイブリッド回路１４Ａに出力する。更に、ＰＢＳ１３は、Ｙ偏波成分を第２の光ハイブリッド回路１４Ｂに出力する。
【００２０】
第１の光ハイブリッド回路１４Ａは、受信信号のＸ偏波成分に局発光を干渉させてＩ成分及びＱ成分の光信号を取得する。尚、Ｉ成分は同相軸成分、Ｑ成分は直交軸成分である。第１の光ハイブリッド回路１４Ａは、Ｘ偏波成分の内、Ｉ成分の光信号を第１のＰＤ１５Ａに出力する。第１の光ハイブリッド回路１４Ａは、Ｘ偏波成分の内、Ｑ成分の光信号を第２のＰＤ１５Ｂに出力する。
【００２１】
第２の光ハイブリッド回路１４Ｂは、受信信号のＹ偏波成分に局発光を干渉させてＩ成分及びＱ成分の光信号を取得する。第２の光ハイブリッド回路１４Ｂは、Ｙ偏波成分の内、Ｉ成分の光信号を第３のＰＤ１５Ｃに出力する。第２の光ハイブリッド回路１４Ｂは、Ｙ偏波成分の内、Ｑ成分の光信号を第４のＰＤ１５Ｄに出力する。
【００２２】
第１のＰＤ１５Ａは、第１の光ハイブリッド回路１４ＡからのＸ偏波成分のＩ成分の光信号を電気変換して利得調整し、利得調整後の電気信号を第１のＡＤＣ１６Ａに出力する。第１のＡＤＣ１６Ａは、Ｘ偏波成分のＩ成分の電気信号をデジタル変換してＤＳＰ１７に出力する。第２のＰＤ１５Ｂは、第１の光ハイブリッド回路１４ＡからのＸ偏波成分のＱ成分の光信号を電気変換して利得調整し、利得調整後の電気信号を第２のＡＤＣ１６Ｂに出力する。第２のＡＤＣ１６Ｂは、Ｘ偏波成分のＱ成分の電気信号をデジタル変換してＤＳＰ１７に出力する。
【００２３】
第３のＰＤ１５Ｃは、第２の光ハイブリッド回路１４ＢからのＹ偏波成分のＩ成分の光信号を電気変換して利得調整し、利得調整後の電気信号を第３のＡＤＣ１６Ｃに出力する。第３のＡＤＣ１６Ｃは、Ｙ偏波成分のＩ成分の電気信号をデジタル変換してＤＳＰ１７に出力する。第４のＰＤ１５Ｄは、第２の光ハイブリッド回路１４ＢからのＹ偏波成分のＱ成分の光信号を電気変換して利得調整し、利得調整後の電気信号を第４のＡＤＣ１６Ｄに出力する。第４のＡＤＣ１６Ｄは、Ｙ偏波成分のＱ成分の電気信号をデジタル変換してＤＳＰ１７に出力する。
【００２４】
ＤＳＰ１７は、デジタル変換されたＸ偏波成分内のＩ成分及びＱ成分とＹ偏波成分内のＩ成分及びＱ成分とに対してデジタル信号処理を施し、Ｘ偏波成分及びＹ偏波成分を復調信号に復調する。ＣＰＵ１９は、受信装置１０全体を制御する制御部である。
【００２５】
図３は、受信装置１０内のＤＳＰ１７の機能構成の一例を示すブロック図である。ＤＳＰ１７は、主信号受信回路２０と、監視制御信号受信回路３０とを有する。
【００２６】
主信号受信回路２０は、電気信号がデジタル変換されたデジタル信号である主信号を受信（検出）する主信号検出部である。主信号受信回路２０は、ＦＥＱ（Fixed  Equalizer）２１と、ＡＥＱ(Adaptive  Equalizer)２２と、ＦＯＣ(Frequency  Offset  Compensator)・ＣＰＲ(Carrier  Phase  Recovery)２３と、ＦＥＣ（Forward  Error  Correction）デコーダ２４とを有する。
【００２７】
ＦＥＱ２１は、光伝送路上で発生した波長分散を補償する波長分散補償回路である。また、ＦＥＱ２１は、例えば、線形補償や非線形補償を実行する。ＡＥＱ２２は、例えば、偏波分離、帯域補償や線形歪み補償等の等化回路である。ＡＥＱ２２は、例えば、偏波変動や偏波モード分散等の時間変動に適応的に追従する偏波分離処理、前段の波長分散補償で補償しきれなかった残留分散を補償する補償処理や、電気デバイスや光デバイス等で発生した信号帯域狭窄化を補償する補償処理を実行する。
【００２８】
ＦＯＣ・ＣＰＲ２３は、まず、ＦＯＣ（周波数オフセット補償）の機能として、送信装置５０側のＬＤの周波数と、受信装置１０側のＬＯ光源１１の周波数との差分を推定し、その差分を補償する。また、ＦＯＣ・ＣＰＲ２３は、ＣＰＲ（位相復元）の機能として、ＬＯ光源１１の位相雑音やＦＯＣの機能で補償できなかった高速な残留周波数オフセットの変動成分を補償する。ＦＥＣデコーダ２４は、ＦＯＣ・ＣＰＲ２３で補償された復調信号に対してＦＥＣ処理を実行する。
【００２９】
監視制御信号受信回路３０は、後述の監視制御信号を受信（検出）する監視制御信号検出部である。監視制御信号受信回路３０は、ＦＥＱ２１で補償された後の信号から監視制御信号を受信（検出）する。または、監視制御信号受信回路３０は、ＦＥＱ２１で補償される前の信号から監視制御信号を受信（検出）してもよい。
【００３０】
図４は、送信装置５０のハードウェア構成の一例を示すブロック図である。送信装置５０は、シンボルマッピング５１と、挿入部５２と、信号処理部５３と、ＤＡＣ（Digital  Analog  Converter）５４と、ドライバアンプ５５と、ＬＤ（Laser  Diode）５６と、ＢＳ(Beam  Splitter)５７とを有する。更に、送信装置５０は、第１及び第２のＩＱ変調部５８Ａ、５８Ｂと、ＰＢＣ(Polarization  Beam  Combiner)５９と、ＣＰＵ６０とを有する。
【００３１】
シンボルマッピング５１は、送信データをシンボルにマッピングする処理部である。挿入部５２は、設定周期毎にデータシンボル間にＰＳを挿入する。尚、ＰＳの設定周期及び振幅比は、適宜設定変更可能である。受信装置１０では、例えば、ＰＳの設定周期及び振幅比に対応した設定パターンを記憶しておくものとする。信号処理部５３は、シンボル列に信号処理を施す。ＤＡＣ５４は、シンボル列をアナログ信号に変換してドライバアンプ５５に出力する。
【００３２】
ドライバアンプ５５は、シンボル列のアナログ信号に応じた駆動信号を第１のＩＱ変調部５８Ａ及び第２のＩＱ変調部５８Ｂに出力する。ＬＤ５６は、光信号をＢＳ５７に出力する。ＢＳ５７は、光信号を第１のＩＱ変調部５８Ａ及び第２のＩＱ変調部５８Ｂに出力する。第１のＩＱ変調部５８Ａは、光信号を駆動信号で光変調するＸ偏波成分側の光変調信号を生成する。第２のＩＱ変調部５８Ｂは、光信号を駆動信号で光変調するＹ偏波成分側の光変調信号を生成する。ＰＢＣ５９は、第１のＩＱ変調部５８ＡからのＸ偏波成分側の光変調信号と、第２のＩＱ変調部５８ＢからのＹ偏波成分側の光変調信号とを結合して光変調信号を送信シンボルとして伝送路に出力する。ＣＰＵ６０は、送信装置５０全体を制御する制御部である。
【００３３】
図５は、監視制御信号のスペクトルの一例を示す説明図である。本実施例の光伝送システム１では、波長に監視制御信号を重畳させる変調方式を用いる。この変調方式としては、例えば、ＦＳＫ−ＳＶ（Frequency  Shift  Keying−Supervisory）方式が用いられる。ＦＳＫ−ＳＶ方式において、例えば、トランスポンダ４０の送信装置５０の信号処理部５３は、所定の波長λを揺らした監視制御信号をＦＳＫ信号として生成する。信号処理部５３は、波長λを揺らす場合、デジタル信号の各ビット「０」、「１」をずらす。そして、信号処理部５３は、波長λに主信号を位相変調で変調し、その波長λにＦＳＫ信号を周波数変調で重畳した信号を出力する。ＦＳＫ信号は、主信号に比べて小容量のため、主信号が疎通していなくても通信が可能である。
【００３４】
また、ＦＳＫ−ＳＶ方式としては、制御信号などをネットワーク上のコントローラを介さずにトランスポンダ間で直接送受信するような利用用途が想定されている。従来では、伝送路が確立した対向するトランスポンダ間での通信しかできないが、今後、第１のトランスポンダの隣接波長を使っている第２のトランスポンダに対しても通信することができると都合がよい。
【００３５】
また、光伝送技術では、大容量化のため、ＷＤＭ技術に加えて、「スーパーチャネル」と呼ばれる技術の利用が検討されている。図６は、スーパーチャネル方式を適用した光伝送装置の一例を示す説明図である。ＷＳＳ４とＭＣＳ６による構成では、例えば、各トランスポンダ４０に対して、１６波の連続したチャネルの光信号が入力される。この場合、各トランスポンダ４０の受信装置１０は、ＬＯ光源１１を制御して、選択したい対象の波長の光信号を受信する。このとき、受信装置１０のＤＳＰ１７の監視制御信号受信回路３０は、受信した信号から、対象の波長の信号が取り出されるようにフィルタをかける。このため、隣接波長のパワー（信号強度）は弱まってしまうが、監視制御信号受信回路３０は、隣接波長の一部をモニタできないわけではない。
【００３６】
図７は、本実施例の光伝送システム１の動作の一例を示すフローチャートである。例えば、光伝送装置２Ａにおいて、トランスポンダ４０の送信装置５０は、対象波長と対象波長に隣接する隣接波長とに主信号を位相変調で変調し、対象波長と隣接波長とにそれぞれＦＳＫ信号を重畳する（ステップＳ１）。送信装置５０は、対象波長と隣接波長とにそれぞれＦＳＫ信号を重畳した信号を光信号に変換する（ステップＳ２）。ＲＯＡＤＭ３Ａは、トランスポンダ４０の送信装置５０により波長多重された光信号を結合して、光伝送路を介して光伝送装置２Ｂに送信する（ステップＳ３）。光伝送装置２Ｂにおいて、ＲＯＡＤＭ３Ｂは、光伝送装置２Ａからの光信号を受信して分離する（ステップＳ４）。トランスポンダ４０の受信装置１０は、ＲＯＡＤＭ３Ｂからの光信号を受信し、受信した信号から、対象波長と隣接波長とにそれぞれＦＳＫ信号を重畳した信号に変換する（ステップＳ５）。受信装置１０は、対象波長と隣接波長とにそれぞれＦＳＫ信号を重畳した信号から、対象波長と隣接波長の一部とをモニタする（ステップＳ６）。
【００３７】
図８は、本実施例の光伝送システム１の動作結果の一例を示す説明図である。光伝送装置２Ｂのトランスポンダ４０（例えばトランスポンダ４０Ｅ）の受信装置１０は、対象波長と隣接波長とにそれぞれＦＳＫ信号を重畳した信号から、対象波長と隣接波長の一部とをモニタする（図８中の「トランスポンダ４０Ｅのモニタ範囲」を参照）。これにより、受信装置１０は、対象波長のＦＳＫ信号（図８中の点線）と、隣接波長のＦＳＫ信号（図８中の一点鎖線）とを検出することができる。その結果、受信装置１０は、対向する第１のトランスポンダ（例えばトランスポンダ４０Ｂ）の隣接波長を使っている第２のトランスポンダ（例えばトランスポンダ４０Ａ、４０Ｃ）に対しても通信を行なうことができる。ここで、本実施例では、両隣の波長の一部をモニタしているが、両隣のうちの一方の隣接波長の一部をモニタしてもよい。
【００３８】
次に、対象波長と隣接波長の一部とをモニタする受信装置１０の構成について説明する。図９は、実施例１の受信装置１０内のＤＳＰ１７の機能構成の一例を示すブロック図である。図１０、１１は、ＦＳＫ信号検出回路７１の一例を示すブロック図である。
【００３９】
図９に示すように、受信装置１０のＩＣＲ１８は、波長多重された光信号を受信する受信部である。ＡＤＣ１６は、ＩＣＲ１８で受信した信号から、対象波長と対象波長に隣接する隣接波長の一部とを透過するフィルタである。例えば、ＩＣＲ１８及びＡＤＣ１６の設定周波数帯域は４０ＧＨｚ以上である。この場合、ＩＣＲ１８及びＡＤＣ１６のサンプリングレートは６４Ｇｓａｍｐｌｅ／ｓである。受信装置１０のＤＳＰ１７の主信号受信回路２０は、ＡＤＣ１６で透過された信号から、対象波長の主信号を受信（検出）する。受信装置１０のＤＳＰ１７の監視制御信号受信回路３０内には、ＡＤＣ１６で透過された信号から対象波長および第１、第２の隣接波長のＦＳＫ信号を検出するユニットが３つ設けられる。
【００４０】
例えば、図９に示すように、監視制御信号受信回路３０には、対象波長用ユニット７０が設けられる。対象波長用ユニット７０は、ＦＳＫ信号検出回路７１を有する。ＦＳＫ信号検出回路７１は、ＡＤＣ１６の出力信号、または、ＡＤＣ１６の出力信号が主信号受信回路２０内のＦＥＱ２１で補償された信号から、対象波長のＦＳＫ信号を検出する。例えば、ＦＳＫ信号検出回路７１のサンプリングレートは６４Ｇｓａｍｐｌｅ／ｓである。
【００４１】
ここで、ＦＳＫ信号検出回路７１は、周波数オフセットをモニタすることにより、ＦＳＫ信号を検出するモニタ回路である。例えば、図１０に示すように、ＦＳＫ信号検出回路７１は、Ｚ変換部１０１、１０２と、乗算部１０３、１０４と、加算部１０５と、平均化部１０６と、比較部１０７とを有する。Ｚ変換部１０１、１０２は、それぞれ、Ｉ成分、Ｑ成分の信号に対して１シンボルずらす。乗算部１０３は、Ｉ成分の信号とＺ変換部１０１からの信号とを乗算する。乗算部１０４は、Ｑ成分の信号とＺ変換部１０２からの信号とを乗算する。加算部１０５は、乗算部１０３、１０４からの信号を加算し、平均化部１０６は、加算部１０５からの信号を平均化する。比較部１０７は、平均化部１０６からの信号の値と閾値とを比較し、比較結果をＦＳＫ信号として出力する。
【００４２】
または、ＦＳＫ信号検出回路７１は、パワー（信号強度）をモニタすることにより、ＦＳＫ信号を検出するモニタ回路である。例えば、図１１に示すように、ＦＳＫ信号検出回路７１は、乗算部１１３、１１４と、加算部１１５と、平均化部１１６と、比較部１１７とを有する。乗算部１１３は、Ｉ成分の信号とＩ成分の信号とを乗算する。乗算部１１４は、Ｑ成分の信号とＱ成分の信号とを乗算する。加算部１１５は、乗算部１１３、１１４からの信号を加算し、平均化部１１６は、加算部１１５からの信号を平均化する。比較部１１７は、平均化部１１６からの信号の値と閾値とを比較し、比較結果をＦＳＫ信号として出力する。
【００４３】
また、図９に示すように、監視制御信号受信回路３０には、第１の隣接波長用ユニット８０が設けられる。第１の隣接波長用ユニット８０は、ＦＳＫ信号検出回路８１と、フィルタ８２とを有する。フィルタ８２は、ＡＤＣ１６の出力信号、または、ＡＤＣ１６の出力信号が主信号受信回路２０内のＦＥＱ２１で補償された信号に対して、第１の隣接波長の信号を通過させる。ＦＳＫ信号検出回路８１は、そのフィルタ８２を通過した信号から、第１の隣接波長のＦＳＫ信号を検出する。例えば、フィルタ８２及びＦＳＫ信号検出回路８１のサンプリングレートは６４Ｇｓａｍｐｌｅ／ｓである。ＦＳＫ信号検出回路８１の構成は、ＦＳＫ信号検出回路７１の構成と同じであるため、その説明を省略する。
【００４４】
また、図９に示すように、監視制御信号受信回路３０には、第２の隣接波長用ユニット９０が設けられる。第２の隣接波長用ユニット９０は、ＦＳＫ信号検出回路９１と、フィルタ９２とを有する。フィルタ９２は、ＡＤＣ１６の出力信号、または、ＡＤＣ１６の出力信号が主信号受信回路２０内のＦＥＱ２１で補償された信号に対して、第２の隣接波長の信号を通過させる。ＦＳＫ信号検出回路９１は、そのフィルタ９２を通過した信号から、第２の隣接波長のＦＳＫ信号を検出する。例えば、フィルタ９２及びＦＳＫ信号検出回路９１のサンプリングレートは６４Ｇｓａｍｐｌｅ／ｓである。ＦＳＫ信号検出回路９１の構成は、ＦＳＫ信号検出回路７１の構成と同じであるため、その説明を省略する。
【００４５】
これにより、実施例１の光伝送システム１では、隣接波長の一部をモニタすることで、サンプリングレートを従来に比べて下げることができ、監視制御信号受信回路３０の回路規模を従来に比べて削減することができる。その結果、実施例１の光伝送システム１では、回路規模を増大することなく、隣接波長の監視制御信号を検出することができる。実施例１の効果について、図１２の構成を用いて説明する。
【００４６】
図１２は、受信装置１０内のＤＳＰ１７の機能構成の回路規模の増大の一例を示す説明図である。受信装置１０のＩＣＲ１８は、波長多重された光信号を受信する受信部である。ＡＤＣ１６は、ＩＣＲ１８で受信した信号から、対象波長と対象波長に隣接する隣接波長の一部とを透過するフィルタである。例えば、ＩＣＲ１８及びＡＤＣ１６の設定周波数帯域は１００ＧＨｚ以上である。この場合、ＩＣＲ１８及びＡＤＣ１６のサンプリングレートは１９２Ｇｓａｍｐｌｅ／ｓである。受信装置１０のＤＳＰ１７の主信号受信回路２０は、ＡＤＣ１６で透過された信号から、対象波長の主信号を受信（検出）する。受信装置１０のＤＳＰ１７の監視制御信号受信回路３０内には、ＡＤＣ１６で透過された信号から対象波長および第１、第２の隣接波長のＦＳＫ信号を検出するユニットが３つ設けられる。
【００４７】
例えば、監視制御信号受信回路３０には、対象波長用ユニット１７０が設けられる。対象波長用ユニット１７０は、ＦＳＫ信号検出回路１７１と、フィルタ１７２とを有する。フィルタ１７２は、ＡＤＣ１６の出力信号が主信号受信回路２０内のＦＥＱ２１で補償された信号に対して、対象波長の信号を通過させる。ＦＳＫ信号検出回路１７１は、そのフィルタ１７２を通過した信号から、対象波長のＦＳＫ信号を検出する。例えば、フィルタ１７２及びＦＳＫ信号検出回路１７１のサンプリングレートは１９２Ｇｓａｍｐｌｅ／ｓである。
【００４８】
また、監視制御信号受信回路３０には、第１の隣接波長用ユニット１８０が設けられる。第１の隣接波長用ユニット１８０は、ＦＳＫ信号検出回路１８１と、フィルタ１８２とを有する。フィルタ１８２は、ＡＤＣ１６の出力信号が主信号受信回路２０内のＦＥＱ２１で補償された信号に対して、第１の隣接波長の信号を通過させる。ＦＳＫ信号検出回路１８１は、そのフィルタ１８２を通過した信号から、第１の隣接波長のＦＳＫ信号を検出する。例えば、フィルタ１８２及びＦＳＫ信号検出回路１８１のサンプリングレートは１９２Ｇｓａｍｐｌｅ／ｓである。
【００４９】
また、監視制御信号受信回路３０には、第２の隣接波長用ユニット１９０が設けられる。第２の隣接波長用ユニット１９０は、ＦＳＫ信号検出回路１９１と、フィルタ１９２とを有する。フィルタ１９２は、ＡＤＣ１６の出力信号が主信号受信回路２０内のＦＥＱ２１で補償された信号に対して、第２の隣接波長の信号を通過させる。ＦＳＫ信号検出回路１９１は、そのフィルタ１９２を通過した信号から、第２の隣接波長のＦＳＫ信号を検出する。例えば、フィルタ１９２及びＦＳＫ信号検出回路１９１のサンプリングレートは１９２Ｇｓａｍｐｌｅ／ｓである。
【００５０】
このように、対象波長に加えて、対象波長に隣接する隣接波長もモニタする場合、受信装置１０のＤＳＰ１７の監視制御信号受信回路３０の回路規模が大きくなってしまい、現実的ではない。
【００５１】
一方、実施例１の光伝送システム１では、隣接波長の一部をモニタすることで、サンプリングレートが６４Ｇｓａｍｐｌｅ／ｓとなり、サンプリングレートを従来の１９２Ｇｓａｍｐｌｅ／ｓに比べて１／３倍に下げることができる。また、実施例１の光伝送システム１では、隣接波長のパワーの影響を充分小さくできるため、監視制御信号受信回路３０の対象波長用ユニット７０に、対象波長の信号を通過させるフィルタを設ける必要がない。したがって、実施例１の光伝送システム１では、監視制御信号受信回路３０の回路規模を従来に比べて削減することができる。その結果、実施例１の光伝送システム１では、回路規模を増大することなく、隣接波長の監視制御信号を検出することができる。
【００５２】
尚、上記実施例１では、ＩＣＲ１８及びＡＤＣ１６のサンプリングレートを従来に比べて下げることにより、監視制御信号受信回路３０の対象波長用ユニット７０に、対象波長の信号を通過させるフィルタを設けていない。しかしながら、サンプリングレートを従来に比べて下げることにより、監視制御信号受信回路３０の回路規模を従来に比べて削減することができれば、監視制御信号受信回路３０の対象波長用ユニット７０にフィルタを設けてもよい。
【実施例２】
【００５３】
図１３は、実施例２の受信装置１０内のＤＳＰ１７の機能構成の一例を示すブロック図である。尚、実施例１の光伝送システム１と同一の構成には同一符号を付すことで、その重複する構成及び動作の説明については省略する。
【００５４】
監視制御信号受信回路３０の対象波長用ユニット７０は、更に、フィルタ７２を有する。フィルタ７２は、ＡＤＣ１６の出力信号、または、ＡＤＣ１６の出力信号が主信号受信回路２０内のＦＥＱ２１で補償された信号に対して、対象波長の信号を通過させる。ＦＳＫ信号検出回路７１は、そのフィルタ７２を通過した信号から、対象波長のＦＳＫ信号を検出する。例えば、フィルタ７２及びＦＳＫ信号検出回路７１のサンプリングレートは、ＩＣＲ１８及びＡＤＣ１６のサンプリングレートと同じ６４Ｇｓａｍｐｌｅ／ｓである。それ以外の構成及び動作については実施例１の光伝送システム１と同様である。
【００５５】
尚、上記実施例１では、ＩＣＲ１８及びＡＤＣ１６の周波数帯域を４０ＧＨｚ以上とし、サンプリングレートを６４Ｇｓａｍｐｌｅ／ｓとして、監視制御信号受信回路３０が隣接波長の一部をモニタしている。しかしながら、監視制御信号受信回路３０は、周波数のオフセット制御とダウンサンプリングとを行なってもよい。この場合の実施の形態につき、実施例３として以下に説明する。
【実施例３】
【００５６】
図１４は、実施例３の受信装置１０内のＤＳＰ１７の機能構成の一例を示すブロック図である。図１５は、周波数オフセット制御とダウンサンプリングとの一例を示す説明図である。尚、実施例１の光伝送システム１と同一の構成には同一符号を付すことで、その重複する構成及び動作の説明については省略する。
【００５７】
図１４に示すように、受信装置１０のＤＳＰ１７の監視制御信号受信回路３０の第１の隣接波長用ユニット８０は、更に、周波数オフセット制御部８３と、ダウンサンプリング部８４とを有する。図１５に示すように、周波数オフセット制御部８３は、フィルタ８２を通過した信号に対して、周波数のオフセットを行なう。ダウンサンプリング部８４は、周波数オフセット制御部８３により周波数のオフセットが行なわれた信号に対して、ダウンサンプリングを行なう。図１５に示すように、例えば、第１の隣接波長の周波数帯域が１ＧＨｚである場合、ダウンサンプリング部８４は、サンプリングレートを６４Ｇｓａｍｐｌｅ／ｓから２Ｇｓａｍｐｌｅ／ｓに下げる。ＦＳＫ信号検出回路８１は、ダウンサンプリング部８４によりダウンサンプリングが行なわれた信号から、第１の隣接波長のＦＳＫ信号を検出する。
【００５８】
また、図１４に示すように、監視制御信号受信回路３０の第２の隣接波長用ユニット９０は、更に、周波数オフセット制御部９３と、ダウンサンプリング部９４とを有する。周波数オフセット制御部９３は、フィルタ９２を通過した信号に対して、周波数のオフセットを行なう。ダウンサンプリング部９４は、周波数オフセット制御部９３により周波数のオフセットが行なわれた信号に対して、ダウンサンプリングを行なう。例えば、第２の隣接波長の周波数帯域が１ＧＨｚである場合、ダウンサンプリング部９４は、サンプリングレートを６４Ｇｓａｍｐｌｅ／ｓから２Ｇｓａｍｐｌｅ／ｓに下げる。ＦＳＫ信号検出回路９１は、ダウンサンプリング部９４によりダウンサンプリングが行なわれた信号から、第２の隣接波長のＦＳＫ信号を検出する。
【００５９】
これにより、実施例３の光伝送システム１では、周波数オフセット制御とダウンサンプリングとを行なうことで、ＦＳＫ信号検出回路８１、９１のサンプリングレートを実施例１に比べて１／３２倍に下げることができる。このため、実施例３の光伝送システム１では、ＦＳＫ信号検出回路８１、９１の処理量を減らすことができる。また、実施例３の光伝送システム１では、ＦＳＫ信号検出回路８１、９１のサンプリングレートを実施例１に比べて１／３２倍に下げることで、ＦＳＫ信号検出回路８１、９１の回路規模を実施例１に比べて削減することができる。
【００６０】
尚、上記実施例３では、ユニット毎に対象波長及び隣接波長をモニタしている。しかしながら、監視制御信号受信回路３０は、対象波長及び隣接波長を時系列でモニタしてもよい。この場合の実施の形態につき、実施例４として以下に説明する。
【実施例４】
【００６１】
図１６は、実施例４の受信装置１０内のＤＳＰ１７の機能構成の一例を示すブロック図である。尚、実施例３の光伝送システム１と同一の構成には同一符号を付すことで、その重複する構成及び動作の説明については省略する。
【００６２】
受信装置１０のＤＳＰ１７は、更に、切替制御回路１２０を有する。また、受信装置１０のＤＳＰ１７の監視制御信号受信回路３０は、ＦＳＫ信号検出回路１２１と、フィルタ１２２と、周波数オフセット制御回路１２３と、ダウンサンプリング部１２４とを有する。
【００６３】
切替制御回路１２０は、ＦＳＫ信号検出回路１２１、フィルタ１２２、周波数オフセット制御回路１２３、ダウンサンプリング部１２４を時系列で制御する。
【００６４】
まず、切替制御回路１２０は、第１の制御信号をＦＳＫ信号検出回路１２１、フィルタ１２２、周波数オフセット制御回路１２３、ダウンサンプリング部１２４に出力する。例えば、フィルタ１２２は、第１の制御信号に応じて第１のフィルタ係数を適用する。第１のフィルタ係数は、対象波長の周波数帯域を表す。この場合、フィルタ１２２は、ＡＤＣ１６の出力信号、または、ＡＤＣ１６の出力信号が主信号受信回路２０内のＦＥＱ２１で補償された信号に対して、対象波長の信号を通過させる。周波数オフセット制御部１２３は、フィルタ１２２を通過した信号に対して、周波数のオフセットを行なう。ダウンサンプリング部１２４は、周波数オフセット制御部１２３により周波数のオフセットが行なわれた信号に対して、ダウンサンプリングを行なう。ＦＳＫ信号検出回路１２１は、ダウンサンプリング部１２４によりダウンサンプリングが行なわれた信号から、対象波長のＦＳＫ信号を検出する。
【００６５】
ここで、切替制御回路１２０が第１の制御信号を出力している場合、ＡＤＣ１６の出力信号、または、ＡＤＣ１６の出力信号が主信号受信回路２０内のＦＥＱ２１で補償された信号は、ＦＳＫ信号検出回路１２１に直接出力されてもよい。すなわち、フィルタ１２２、周波数オフセット制御回路１２３、ダウンサンプリング部１２４を経由しなくてもよい。
【００６６】
次に、切替制御回路１２０は、第２の制御信号をＦＳＫ信号検出回路１２１、フィルタ１２２、周波数オフセット制御回路１２３、ダウンサンプリング部１２４に出力する。例えば、フィルタ１２２は、第２の制御信号に応じて第２のフィルタ係数を適用する。第２のフィルタ係数は、第１の隣接波長の周波数帯域を表す。この場合、フィルタ１２２は、ＡＤＣ１６の出力信号、または、ＡＤＣ１６の出力信号が主信号受信回路２０内のＦＥＱ２１で補償された信号に対して、第１の隣接波長の信号を通過させる。周波数オフセット制御部１２３は、フィルタ１２２を通過した信号に対して、周波数のオフセットを行なう。ダウンサンプリング部１２４は、周波数オフセット制御部１２３により周波数のオフセットが行なわれた信号に対して、ダウンサンプリングを行なう。ＦＳＫ信号検出回路１２１は、ダウンサンプリング部１２４によりダウンサンプリングが行なわれた信号から、第１の隣接波長のＦＳＫ信号を検出する。
【００６７】
次に、切替制御回路１２０は、第３の制御信号をＦＳＫ信号検出回路１２１、フィルタ１２２、周波数オフセット制御回路１２３、ダウンサンプリング部１２４に出力する。例えば、フィルタ１２２は、第３の制御信号に応じて第３のフィルタ係数を適用する。第３のフィルタ係数は、第２の隣接波長の周波数帯域を表す。この場合、フィルタ１２２は、ＡＤＣ１６の出力信号、または、ＡＤＣ１６の出力信号が主信号受信回路２０内のＦＥＱ２１で補償された信号に対して、第２の隣接波長の信号を通過させる。周波数オフセット制御部１２３は、フィルタ１２２を通過した信号に対して、周波数のオフセットを行なう。ダウンサンプリング部１２４は、周波数オフセット制御部１２３により周波数のオフセットが行なわれた信号に対して、ダウンサンプリングを行なう。ＦＳＫ信号検出回路１２１は、ダウンサンプリング部１２４によりダウンサンプリングが行なわれた信号から、第２の隣接波長のＦＳＫ信号を検出する。
【００６８】
これにより、実施例４の光伝送システム１では、対象波長及び隣接波長を時系列でモニタすることで、監視制御信号受信回路３０内のユニットの数を減らすことができる。したがって、実施例４の光伝送システム１では、監視制御信号受信回路３０の回路規模を実施例３に比べて削減することができる。
【００６９】
尚、上記実施例４では、対象波長及び隣接波長を時系列でモニタしている。しかしながら、監視制御信号受信回路３０は、隣接波長のパワー（信号強度）が増加するようにＬＯ光源１１を制御してもよい。この場合の実施の形態につき、実施例５として以下に説明する。
【実施例５】
【００７０】
図１７は、実施例５の受信装置１０内のＤＳＰ１７の機能構成の一例を示すブロック図である。尚、実施例４の光伝送システム１と同一の構成には同一符号を付すことで、その重複する構成及び動作の説明については省略する。
【００７１】
例えば、切替制御回路１２０は、第２の制御信号をＦＳＫ信号検出回路１２１、フィルタ１２２、周波数オフセット制御回路１２３、ダウンサンプリング部１２４に出力したときに、第１の隣接波長のパワー（信号強度）が増加するようにＬＯ光源１１を制御する。
【００７２】
また、切替制御回路１２０は、第３の制御信号をＦＳＫ信号検出回路１２１、フィルタ１２２、周波数オフセット制御回路１２３、ダウンサンプリング部１２４に出力したときに、第２の隣接波長のパワー（信号強度）が増加するようにＬＯ光源１１を制御する。
【００７３】
これにより、実施例５の光伝送システム１では、隣接波長をモニタするときの感度を上げることができる。
【００７４】
尚、上記実施例１〜５では、対象波長と、対象波長に隣接する第１の隣接波長と、対象波長に隣接する第２の隣接波長とには、それぞれＦＳＫ信号が重畳されている。しかしながら、これらのＦＳＫ信号には、スーパーチャネルの識別番号（ＩＤ）が重畳され、受信装置１０は、上記ＩＤに基づいて対象波長のスーパーチャネル内の相対位置を認識してもよい。この場合の実施の形態につき、実施例６として以下に説明する。
【実施例６】
【００７５】
図１８は、実施例６の光伝送システム１の一例を示す説明図である。図１８に示す光伝送システム１は、更に、ＳＤＮ（Software  Defined  Network）コントローラ１３０を有する。ＳＤＮコントローラ１３０は、光伝送装置２Ａ、２Ｂの複数のトランスポンダ４０に対して、スーパーチャネルのＩＤ（グループＩＤ）を通知する。この場合、各トランスポンダ４０の受信装置１０は、ＳＤＮコントローラ１３０から通知されたスーパーチャネルのＩＤを記憶部（図示しない）に記憶する。
【００７６】
前述のように、トランスポンダ４０の受信装置１０は、光信号を受信（検出）し、受信した信号から、対象波長のＦＳＫ信号と、対象波長に隣接する第１の隣接波長のＦＳＫ信号と、対象波長に隣接する第２の隣接波長のＦＳＫ信号とを検出する。対象波長のＦＳＫ信号と、対象波長に隣接する第１の隣接波長のＦＳＫ信号と、対象波長に隣接する第２の隣接波長のＦＳＫ信号とには、上記グループＩＤが重畳されている。ここで、第１の隣接波長のＦＳＫ信号に重畳されたグループＩＤを「左隣のＩＤ」と記載し、第２の隣接波長のＦＳＫ信号に重畳されたグループＩＤを「右隣のＩＤ」と記載する。また、「左隣のＩＤ」と「右隣のＩＤ」とを「両隣のＩＤ」と記載する。
【００７７】
図１９は、実施例６の光伝送システム１の動作を示すフローチャートである。受信装置１０のＣＰＵ１９は、まず、両隣のＩＤをチェックする（ステップＳ１０１）。
【００７８】
次に、受信装置１０のＣＰＵ１９は、両隣のＩＤが自身のＩＤと同じであるか否かを判定する（ステップＳ１０２）。判定の結果、両隣のＩＤが自身のＩＤと同じである場合（ステップＳ１０２：Ｙｅｓ）、受信装置１０のＣＰＵ１９は、自身の波長の位置が中間であることを認識する（ステップＳ１０３）。
【００７９】
判定の結果、両隣のＩＤが自身のＩＤと同じではない場合（ステップＳ１０２：Ｎｏ）、受信装置１０のＣＰＵ１９は、両隣のＩＤのうちの左隣のＩＤが自身のＩＤと異なるか否かを判定する（ステップＳ１０４）。判定の結果、左隣のＩＤが自身のＩＤと異なる場合（ステップＳ１０４：Ｙｅｓ）、受信装置１０のＣＰＵ１９は、自身の波長の位置が左端であることを認識する（ステップＳ１０５）。
【００８０】
判定の結果、左隣のＩＤが自身のＩＤと同じ場合（ステップＳ１０４：Ｎｏ）、受信装置１０のＣＰＵ１９は、両隣のＩＤのうちの右隣のＩＤが自身のＩＤと異なるか否かを判定する（ステップＳ１０６）。判定の結果、右隣のＩＤが自身のＩＤと異なる場合（ステップＳ１０６：Ｙｅｓ）、受信装置１０のＣＰＵ１９は、自身の波長の位置が右端であることを認識する（ステップＳ１０７）。
【００８１】
判定の結果、ステップＳ１０２、Ｓ１０４、Ｓ１０６のいずれにも該当しない場合（ステップＳ１０６：Ｎｏ）、受信装置１０のＣＰＵ１９は、自身のＩＤが当該グループＩＤのスーパーチャネルに属していないと認識する（ステップＳ１０８）。
【００８２】
これにより、実施例６の光伝送システム１では、対象波長が当該グループＩＤのスーパーチャネルに属しているか否かを確認し、属している場合、当該グループＩＤのスーパーチャネル内の相対位置を認識することができる。
【００８３】
尚、上記実施例１〜６では、対象波長と、対象波長に隣接する第１の隣接波長と、対象波長に隣接する第２の隣接波長とには、それぞれＦＳＫ信号が重畳されている。しかしながら、これらのＦＳＫ信号には、波長設定コマンドが重畳され、受信装置１０は、コマンドリレー方式により送信された波長設定コマンドに基づいて自身の波長を設定してもよい。この場合の実施の形態につき、実施例７として以下に説明する。
【実施例７】
【００８４】
図２０は、実施例７の光伝送システム１の一例を示す説明図である。例えば、光伝送装置２Ａ、２Ｂの複数のトランスポンダ４０のうちの、光伝送装置２Ａの４個のトランスポンダ４０をトランスポンダ４０−１〜４０−４と記載し、光伝送装置２Ｂの４個のトランスポンダ４０をトランスポンダ４０−５〜４０−８と記載する。また、トランスポンダ４０−１〜４０−４は、それぞれ、トランスポンダ４０−５〜４０−８と対向している。ここで、説明を簡単にするために、トランスポンダ４０−１〜４０−８の波長が変更されるものとする。実施例７の光伝送システム１では、トランスポンダ４０−１〜４０−８の受信装置１０は、コマンドリレー方式を用いて、自身の波長を設定する。
【００８５】
例えば、トランスポンダ４０−１の送信装置５０のＣＰＵ６０は、波長の歪みなどにより、波長の変更の必要性（イベント発生）を検出する（図２０のＩを参照）。
【００８６】
次に、トランスポンダ４０−１の送信装置５０のＣＰＵ６０は、トランスポンダ４０−５の波長を変更するための波長設定コマンドを、対象波長のＦＳＫ信号に重畳させて、トランスポンダ４０−５に送信する。同時に、トランスポンダ４０−１の送信装置５０のＣＰＵ６０は、トランスポンダ４０−２〜４０−４、４０−６〜４０−８の波長を変更するための波長設定コマンドを、対象波長に隣接する隣接波長（例えば、第２の隣接波長）のＦＳＫ信号に重畳させて、トランスポンダ４０−６に送信する（図２０のＩＩを参照）。この場合、トランスポンダ４０−５、４０−６の受信装置１０のＣＰＵ１９は、波長設定コマンドに基づいて自身の波長を設定する。
【００８７】
次に、トランスポンダ４０−６の送信装置５０のＣＰＵ６０は、トランスポンダ４０−２〜４０−４、４０−７、４０−８の波長を変更するための波長設定コマンドを、対象波長のＦＳＫ信号に重畳させて、トランスポンダ４０−２に送信する（図２０のＩＩＩを参照）。この場合、トランスポンダ４０−２の受信装置１０のＣＰＵ１９は、波長設定コマンドに基づいて自身の波長を設定する。
【００８８】
次に、トランスポンダ４０−２の送信装置５０のＣＰＵ６０は、トランスポンダ４０−３、４０−４、４０−７、４０−８の波長を変更するための波長設定コマンドを、対象波長に隣接する隣接波長（例えば、第２の隣接波長）のＦＳＫ信号に重畳させて、トランスポンダ４０−７に送信する（図２０のＩＶを参照）。この場合、トランスポンダ４０−７の受信装置１０のＣＰＵ１９は、波長設定コマンドに基づいて自身の波長を設定する。
【００８９】
これ以降も同様に、トランスポンダ４０−７の送信装置５０のＣＰＵ６０は、トランスポンダ４０−３、４０−４、４０−８の波長を変更するための波長設定コマンドを、対象波長のＦＳＫ信号に重畳させて、トランスポンダ４０−３に送信する。この場合、トランスポンダ４０−３の受信装置１０のＣＰＵ１９は、波長設定コマンドに基づいて自身の波長を設定する。
【００９０】
トランスポンダ４０−３の送信装置５０のＣＰＵ６０は、トランスポンダ４０−４、４０−８の波長を変更するための波長設定コマンドを、対象波長に隣接する隣接波長（例えば、第２の隣接波長）のＦＳＫ信号に重畳させて、トランスポンダ４０−８に送信する。この場合、トランスポンダ４０−８の受信装置１０のＣＰＵ１９は、波長設定コマンドに基づいて自身の波長を設定する。
【００９１】
トランスポンダ４０−８の送信装置５０のＣＰＵ６０は、トランスポンダ４０−４の波長を変更するための波長設定コマンドを、対象波長のＦＳＫ信号に重畳させて、トランスポンダ４０−４に送信する。この場合、トランスポンダ４０−４の受信装置１０のＣＰＵ１９は、波長設定コマンドに基づいて自身の波長を設定する。
【００９２】
これ以外にも、波長設定コマンドが、トランスポンダ４０−１、４０−５、４０−２、４０−６、４０−３、４０−７、４０−４、４０−８の順に送られる方法も考えられる。また、波長設定コマンドがトランスポンダ４０−１から送信されるように、端のトランスポンダではなく、トランスポンダ４０−４やトランスポンダ４０−５のような真ん中のトランスポンダから送信される方法も考えられる。
【００９３】
これにより、実施例７の光伝送システム１では、各トランスポンダ４０の波長が変更される場合、波長設定コマンドにより指示することで、各トランスポンダ４０の波長を設定することができる。
【００９４】
尚、本実施例の光伝送システム１は、ＦＳＫ−ＳＶ方式の変調方式を例示したが、ＡＳＫ方式にも適用可能である（M.  D.  Feuer  and  V.A.  Vaishampayan,“Rejection  of  Interlabel  Crosstalk  in  a  Digital  Lightpath  Labeling  System  With  Low-Cost  All-Wavelength  Receivers”  IEEE  J.  Lightwave  Technol.,  vol.  24,  pp.  1121-1128  (2006).）。
【００９５】
また、本実施例の光伝送システム１は、偏波方式にも適用可能である（M.  D.  Feuer  et  al.,  “Digital  Lightpath  Label  Transcoding  for  Dual-Polarization  QPSK  Systems,”  in  OFC/NFOEC  2011,  JWA28  (2011).）。
【００９６】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００９７】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００９８】
１  光伝送システム
２Ａ、２Ｂ  光伝送装置
３Ａ、３Ｂ  ＲＯＡＤＭ
４  ＷＳＳ
５、６  ＭＣＳ
１０  受信装置
１１  ＬＯ光源
１２  ＢＳ
１３  ＰＢＳ
１４Ａ  第１の光ハイブリッド回路
１４Ｂ  第２の光ハイブリッド回路
１５Ａ  第１のＰＤ
１５Ｂ  第２のＰＤ
１５Ｃ  第３のＰＤ
１５Ｄ  第４のＰＤ
１６  ＡＤＣ
１６Ａ  第１のＡＤＣ
１６Ｂ  第２のＡＤＣ
１６Ｃ  第３のＡＤＣ
１６Ｄ  第４のＡＤＣ
１７  ＤＳＰ
１８  ＩＣＲ
１９  ＣＰＵ
２０  主信号受信回路
２１  ＦＥＱ
２２  ＡＥＱ
２３  ＦＯＣ・ＣＰＲ
２４  ＦＥＣデコーダ
３０  監視制御信号受信回路
４０  トランスポンダ
５０  送信装置
５１  シンボルマッピング
５２  挿入部
５３  信号処理部
５４  ＤＡＣ
５５  ドライバアンプ
５６  ＬＤ
５７  ＢＳ
５８Ａ  第１のＩＱ変調部
５８Ｂ  第２のＩＱ変調部
５９  ＰＢＣ
６０  ＣＰＵ
７０  対象波長用ユニット
７１、８１、９１  ＦＳＫ信号検出回路
７２、８２、９２  フィルタ
８０  第１の隣接波長用ユニット
８３、９３  周波数オフセット制御部
８４、９４  ダウンサンプリング部
９０  第２の隣接波長用ユニット
１０１、１０２  Ｚ変換部
１０３、１０４、１１３、１１４  乗算部
１０５、１１５  加算部
１０６、１１６  平均化部
１０７、１１７  比較部
１２０  切替制御回路
１２１  ＦＳＫ信号検出回路
１２２  フィルタ
１２３  周波数オフセット制御回路
１２４  ダウンサンプリング部
１３０  ＳＤＮコントローラ
１７０  対象波長用ユニット
１７１、１８１、１９１  ＦＳＫ信号検出回路
１７２、１８２、１９２  フィルタ
１８０  第１の隣接波長用ユニット
【図１】
2018139392.tif 000003
【図２】
2018139392.tif 000004
【図３】
2018139392.tif 000005
【図４】
2018139392.tif 000006
【図５】
2018139392.tif 000007
【図６】
2018139392.tif 000008
【図７】
2018139392.tif 000009
【図８】
2018139392.tif 000010
【図９】
2018139392.tif 000011
【図１０】
2018139392.tif 000012
【図１１】
2018139392.tif 000013
【図１２】
2018139392.tif 000014
【図１３】
2018139392.tif 000015
【図１４】
2018139392.tif 000016
【図１５】
2018139392.tif 000017
【図１６】
2018139392.tif 000018
【図１７】
2018139392.tif 000019
【図１８】
2018139392.tif 000020
【図１９】
2018139392.tif 000021
【図２０】
2018139392.tif 000022